(57)【要約】      （修正有）【課題】コストの増加を抑制しつつ、複数の駆動速度に切り替え可能な速度切替装置および画像形成装置を提供する。【解決手段】互いに平行に配置された回転軸５５と駆動力伝達軸６１とを備え、回転軸５５には、駆動モータ５１から回転駆動力が伝達される共通歯車５４を回転自在且つ軸方向に沿って移動自在に支持するとともに、駆動力伝達軸６１には、その軸方向に沿った異なる位置に外径が等しく且つ歯数が異なる第１の変速用歯車６２と第２の変速用歯車６３とを設ける。そして、共通歯車５４を軸方向に沿って移動させることで当該共通歯車５４が噛み合う第１及び第２の変速用歯車６２，６３をリンクバー７１を備えた切替手段によって切り替えることにより、複数の駆動速度に切り替え可能に構成した。【選択図】図３
2015069061.tif 000002
【特許請求の範囲】
【請求項１】
同軸状に配置され歯数が異なる複数の変速用歯車と、
前記複数の変速用歯車と噛み合う共通歯車と、
前記共通歯車が噛み合う前記複数の変速用歯車を切り替える切替手段と、
を備えたことを特徴とする速度切替装置。
【請求項２】
前記複数の変速用歯車は、転移係数を変えることで歯数を異ならせたことを特徴とする請求項１に記載の速度切替装置。
【請求項３】
前記切替手段は、前記共通歯車を軸方向に沿って移動させることで当該共通歯車が噛み合う前記複数の変速用歯車を切り替えることを特徴とする請求項１又は２に記載の速度切替装置。
【請求項４】
前記複数の変速用歯車及び前記共通歯車は、軸方向に沿った一端部側に向けて弾性力が付与されていることを特徴とする請求項１乃至３のいずれかに記載の速度切替装置。
【請求項５】
少なくとも一方が回転駆動される加熱用回転体と加圧用回転体とを圧接させ、前記加熱用回転体と前記加圧用回転体との圧接部に未定着トナー像が形成された記録媒体を通過させることにより定着を行う定着手段を備え、
前記定着手段の前記加熱用回転体又は加圧用回転体の少なくとも一方の回転速度を切り替える速度切替手段として、請求項１乃至４のいずれかに記載の速度切替装置を用いたことを特徴とする画像形成装置。
【発明の詳細な説明】
【技術分野】
【０００１】
この発明は、速度切替装置および画像形成装置に関するものである。
【背景技術】
【０００２】
従来、画像形成装置としては、例えば、記録用紙上に未定着トナー像を定着する定着装置において、当該定着装置の駆動速度を複数の速度に切り替え可能に構成したものがある。定着装置の駆動速度を切り替える技術としては、例えば、特許文献１等に記載されたものが既に提案されている。
【０００３】
特許文献１は、駆動モータの駆動力の伝達経路を第１の回転駆動力伝達手段と当該第１の回転駆動力伝達手段と減速比が異なる第２の回転駆動力伝達手段とに切り替えることで、定着装置の駆動速度を複数に切り替え可能に構成したものである。
【先行技術文献】
【特許文献】
【０００４】
【特許文献１】特開２００５−５４８６１号公報
【発明の概要】
【発明が解決しようとする課題】
【０００５】
この発明が解決しようとする課題は、コストの増加を抑制しつつ、複数の駆動速度に切り替え可能な速度切替装置および画像形成装置を提供することにある。
【課題を解決するための手段】
【０００６】
請求項１に記載された発明は、同軸状に配置され歯数が異なる複数の変速用歯車と、
前記複数の変速用歯車と噛み合う共通歯車と、
前記共通歯車が噛み合う前記複数の変速用歯車を切り替える切替手段と、
を備えたことを特徴とする速度切替装置である。
【０００７】
請求項２に記載された発明は、前記複数の変速用歯車は、転移係数を変えることで歯数を異ならせたことを特徴とする請求項１に記載の速度切替装置である。
【０００８】
請求項３に記載された発明は、前記切替手段は、前記共通歯車を軸方向に沿って移動させることで当該共通歯車が噛み合う前記複数の変速用歯車を切り替えることを特徴とする請求項１又は２に記載の速度切替装置である。
【０００９】
請求項４に記載された発明は、前記複数の変速用歯車及び前記共通歯車は、軸方向に沿った一端部側に向けて弾性力が付与されていることを特徴とする請求項１乃至３のいずれかに記載の速度切替装置である。
【００１０】
請求項５に記載された発明は、少なくとも一方が回転駆動される加熱用回転体と加圧用回転体とを圧接させ、前記加熱用回転体と前記加圧用回転体との圧接部に未定着トナー像が形成された記録媒体を通過させることにより定着を行う定着手段を備え、
前記定着手段の前記加熱用回転体又は加圧用回転体の少なくとも一方の回転速度を切り替える速度切替手段として、請求項１乃至４のいずれかに記載の速度切替装置を用いたことを特徴とする画像形成装置である。
【発明の効果】
【００１１】
請求項１に記載された発明によれば、その構成を有しない場合に比べて、コストの増加を抑制しつつ、複数の駆動速度に切り替え可能な速度切替装置を提供することができる。
【００１２】
請求項２に記載された発明によれば、その構成を有しない場合に比べて、速度切替機構の構成を簡略化することができる。
【００１３】
請求項３に記載された発明によれば、その構成を有しない場合に比べて、速度切替機構の構成を簡略化することができる。
【００１４】
請求項４に記載された発明によれば、その構成を有しない場合に比べて、複数の変速用歯車及び共通歯車を確実に噛み合わせることが可能となる。
【００１５】
請求項５に記載された発明によれば、その構成を有しない場合に比べて、コストの増加を抑制しつつ、複数の駆動速度に切り替え可能な画像形成装置を提供することができる。
【図面の簡単な説明】
【００１６】
【図１】この発明の実施の形態１に係る画像形成装置を示す概略構成図である。
【図２】この発明の実施の形態１に係る画像形成装置の現像装置を示す構成図である。
【図３】この発明の実施の形態１に係る速度切替装置を示す構成図である。
【図４】速度切替装置の動作を示す構成図である。
【図５】速度切替装置の動作を示す構成図である。
【発明を実施するための形態】
【００１７】
以下に、この発明の実施の形態について図面を参照して説明する。
【００１８】
［実施の形態１］
図１は、実施の形態１に係る速度切替機構を適用し得る画像形成装置の全体の概要を示すものである。
【００１９】
＜画像形成装置の全体の構成＞
この実施の形態１に係る画像形成装置としてのカラープリンタを示すものである。この画像形成装置１には、例えば、パーソナルコンピュータ（ＰＣ）２や画像読取装置３から画像データが入力される。
【００２０】
画像形成装置１の筐体１ａの内部には、図１に示されるように、パーソナルコンピュータ（ＰＣ）２や画像読取装置３等から送られてくる画像データに対して、必要に応じて、シェーディング補正、位置ズレ補正、明度／色空間変換、ガンマ補正、枠消し、色／移動編集等の予め定められた画像処理を施す画像処理部４が配置されているとともに、画像形成装置１全体の動作を統括的に制御する制御部５が設けられている。
【００２１】
そして、上記の如く画像処理部４で予め定められた画像処理が施された画像データは、同じく画像処理部４によって、イエロー（Ｙ）、マゼンタ（Ｍ）、シアン（Ｃ）、ブラック（Ｋ）の４色の画像データに変換され、次に述べるように、画像形成装置１の内部に設けられた画像出力部６によってフルカラー画像又はモノクロ画像として出力される。
【００２２】
画像出力部６は、現像剤を構成するトナーで現像されるトナー像を形成する複数の作像装置１０と、各作像装置１０で形成されるトナー像をそれぞれ保持して最終的に記録媒体の一例としての記録用紙７に二次転写する二次転写位置Ｔ２まで搬送する中間転写装置２０と、中間転写装置２０で二次転写された記録用紙７上のトナー像を定着させる定着装置３０等を備えている。また、画像出力部６には、中間転写装置２０の二次転写位置Ｔ２に供給すべき所要の記録用紙７を収容して搬送する給紙装置４０が併設されている。なお、筐体１ａは支持構造部材、外装カバー等で形成されている。
【００２３】
作像装置１０は、イエロー（Ｙ）、マゼンタ（Ｍ）、シアン（Ｃ）及びブラック（Ｋ）の４色のトナー像をそれぞれ専用に形成する４つの作像装置１０Ｙ，１０Ｍ，１０Ｃ，１０Ｋで構成されている。この４つの作像装置１０（Ｙ，Ｍ，Ｃ，Ｋ）は、筐体１ａの内部空間において１列に並べた状態となるよう配置されている。
【００２４】
各作像装置１０（Ｙ，Ｍ，Ｃ，Ｋ）は、図１に示されるように、回転する像保持体の一例としての感光体ドラム１１を備えており、この感光体ドラム１１の周囲に、次のような各装置が主に配置されている。主な装置とは、感光体ドラム１１の像形成が可能な周面（像保持面）を所要の電位に帯電させる帯電装置１２と、感光体ドラム１１の帯電された周面に画像の情報（信号）に基づく光ＬＢを照射して電位差のある（各色用の）静電潜像を形成する露光手段としての露光装置１３と、その静電潜像を対応する色（Ｙ，Ｍ，Ｃ，Ｋ）の現像剤のトナーで現像してトナー像にする現像手段としての現像装置１４（Ｙ，Ｍ，Ｃ，Ｋ）と、その各トナー像を一次転写位置Ｔ１において中間転写装置２０に転写する一次転写装置１５と、一次転写後における感光体ドラム１１の像保持面に残留して付着するトナー等の付着物を取り除いて清掃するドラム清掃装置１６等である。
【００２５】
感光体ドラム１１は、接地処理される円筒状又は円柱状の基材の周面に感光材料からなる光導電性層（感光層）を有する像保持面を形成したものである。この感光体ドラム１１は、後述する駆動装置５０から動力が伝達されて矢印Ａで示す方向に回転するように支持されている。
【００２６】
帯電装置１２は、感光体ドラム１１に接触した状態で配置される接触型の帯電ロールで構成される。帯電装置１２には帯電用電圧が供給される。帯電用電圧としては、現像装置１４が反転現像を行うものである場合、その現像装置１４から供給されるトナーの帯電極性と同じ極性の電圧又は電流が供給される。
【００２７】
露光装置１３は、画像形成装置１に入力される画像の情報に応じて構成される光ＬＢを、帯電された後の感光体ドラム１１の周面に対して照射して静電潜像を形成するものである。露光装置１３には、潜像形成時になると画像形成装置１に任意の手段で入力され、画像処理部４で画像処理された画像の情報（信号）が送信される。
【００２８】
現像装置１４（Ｙ，Ｍ，Ｃ，Ｋ）はいずれも、図２に示されるように、開口部１４１と現像剤８の収容室１４２が形成された筐体１４０の内部に、現像剤８を保持して感光体ドラム１１と向き合う現像領域まで搬送する現像ロール１４３と、現像剤８を攪拌しながら現像ロール１４３に供給するよう搬送する２つのスクリューオーガー等の攪拌搬送部材１４４，１４５と、現像ロール１４３に保持される現像剤８の量（層厚）を規制する層厚規制部材１４６などを配置して構成されたものである。この現像装置１４には、その現像ロール１４３と感光体ドラム１１の間に現像用のバイアス電圧が後述する電源装置から供給される。また、現像ロール１４３や攪拌搬送部材１４４，１４５は、後述する駆動装置５０からの動力が伝達されて所要の方向に回転する。上記４色の現像剤８（Ｙ，Ｍ，Ｃ，Ｋ）としては、例えば、非磁性トナーと磁性キャリアを含む二成分現像剤が使用される。
【００２９】
一次転写装置１５は、中間転写ベルト２１を介して感光体ドラム１１の周面に接触して回転するとともに一次転写用電圧が供給される一次転写ロールを備えた接触型の転写装置である。一次転写用電圧としては、トナーの帯電極性と逆の極性を示す直流の電圧が図示しない電源装置から供給される。
【００３０】
ドラム清掃装置１６は、一部が開口する容器状の本体と、一次転写後の感光体ドラム１１の周面に所要の圧力で接触するように配置されて残留トナー等の付着物を取り除いて清掃する清掃板と、清掃板により取り除かれた付着物を回収する回収装置等で構成されている。
【００３１】
中間転写装置２０は、図１に示されるように、各作像装置１０（Ｙ，Ｍ，Ｃ，Ｋ）の上方の位置に存在するように配置される。この中間転写装置２０は、感光体ドラム１１と一次転写装置１５（一次転写ロール）の間となる一次転写位置Ｔ１を通過しながら矢印Ｂで示す方向に回転する中間転写ベルト２１と、中間転写ベルト２１をその内面から所望の状態に保持して回転自在に支持する複数のベルト支持ロール２２〜２４と、ベルト支持ロール２３に支持されている中間転写ベルト２１の外周面（像保持面）側に配置されて中間転写ベルト２１上のトナー像を記録用紙７に二次転写させる二次転写装置２５と、二次転写装置２５を通過した後に中間転写ベルト２１の外周面に残留して付着するトナー、紙粉等の付着物を取り除いて清掃するベルト清掃装置２７とで主に構成されている。
【００３２】
中間転写ベルト２１としては、例えばポリイミド樹脂、ポリアミド樹脂等の合成樹脂にカーボンブラック等の抵抗調整剤などを分散させた材料で製作される無端状のベルトが使用される。また、ベルト支持ロール２２は従動ロールとして構成され、ベルト支持ロール２３は駆動ロール並びに二次転写のバックアップロールとして構成され、ベルト支持ロール２４は張力付与ロールとして構成されている。
【００３３】
二次転写装置２５は、図１に示されるように、中間転写装置２０におけるベルト支持ロール２３に支持されている中間転写ベルト２１の外周面部分である二次転写位置Ｔ２において、中間転写ベルト２１の周面に接触して回転するとともに二次転写用電圧が供給される二次転写ロール２６を備えた接触型の転写装置である。また、二次転写ロール２６又は中間転写装置２０の支持ロール２３には、トナーの帯電極性と逆極性又は同極性を示す直流の電圧が二次転写用電圧として供給される。
【００３４】
定着装置３０は、表面温度が予め定められた温度に保持されるよう加熱手段によって加熱されるロール形態又はベルト形態の加熱用回転体３１と、この加熱用回転体３１に所要の圧力で接触して回転するロール形態又はベルト形態の加圧用回転体３２などを配置して構成されたものである。この定着装置３０では、加熱用回転体３１と加圧用回転体３２が接触する接触部が所要の定着処理（加熱及び加圧）を行う定着処理部となる。
【００３５】
給紙装置４０は、露光装置１３の下方側の位置に存在するように配置される。この給紙装置４０は、所望のサイズ、種類等の記録用紙７を積載した状態で収容する単数（又は複数）の用紙収容体４１と、用紙収容体４１から記録用紙７を１枚ずつ送り出す送出装置４２とで主に構成されている。用紙収容体４１は、例えば、筐体１ａの正面（使用者が操作時に向き合う側面）側に引き出すことができるように取り付けられている。
【００３６】
給紙装置４０と二次転写装置２５との間には、給紙装置４０から送り出される記録用紙７を二次転写位置Ｔ２まで搬送する複数の用紙搬送ロール対４３，４４や搬送ガイド材で構成される給紙搬送路４５が設けられている。給紙搬送路４５において二次転写位置Ｔ２の直前の位置に配置される用紙搬送ロール対４４は、例えば記録用紙７の搬送時期を調整するロール（レジストロール）として構成されている。さらに、定着装置３０の用紙搬送方向に沿った下流側には、記録用紙７を排出収容部４６へと排出する排出ロール対４７が配置されている。
【００３７】
尚、図１において、符号４８は両面用の搬送路を、４９は手差し給紙装置をそれぞれ示している。
【００３８】
＜画像形成装置の基本的な動作＞
以下、画像形成装置１による基本的な画像形成動作について説明する。
【００３９】
前記４つの作像装置１０（Ｙ，Ｍ，Ｃ，Ｋ）を使用して、４色（Ｙ，Ｍ，Ｃ，Ｋ）のトナー像を組み合わせて構成されるフルカラー画像を形成するときの画像形成動作を主に説明する。
【００４０】
画像形成装置１は、画像形成動作（プリント）の要求の指令情報を受けると、４つの作像装置１０（Ｙ，Ｍ，Ｃ，Ｋ）、中間転写装置２０、二次転写装置２５、定着装置３０等が始動する。
【００４１】
そして、各作像装置１０（Ｙ，Ｍ，Ｃ，Ｋ）においては、まず各感光体ドラム１１が矢印Ａで示す方向に回転し、各帯電装置１２が各感光体ドラム１１の表面を所要の極性（実施の形態１ではマイナス極性）及び電位にそれぞれ帯電させる。続いて、露光装置１３が、帯電後の感光体ドラム１１の表面に対し、画像形成装置１にパーソナルコンピュータ（ＰＣ）２や画像読取装置３等から入力される画像の情報を画像処理部４により各色成分（Ｙ，Ｍ，Ｃ，Ｋ）に変換して得られる画像の信号に基づいて発光される光ＬＢを照射し、その表面に所要の電位差で構成される各色成分の静電潜像をそれぞれ形成する。
【００４２】
続いて、各現像装置１４（Ｙ，Ｍ，Ｃ，Ｋ）が、感光体ドラム１１に形成された各色成分の静電潜像に対し、所要の極性（マイナス極性）に帯電された対応する色（Ｙ，Ｍ，Ｃ，Ｋ）のトナーをそれぞれ供給して静電的に付着させて現像を行う。この現像により、各感光体ドラム１１に形成された各色成分の静電潜像は、その対応する色のトナーでそれぞれ現像された４色（Ｙ，Ｍ，Ｃ，Ｋ）のトナー像として顕像化される。
【００４３】
続いて、各作像装置１０（Ｙ，Ｍ，Ｃ，Ｋ）の感光体ドラム１１上に形成された各色のトナー像が一次転写位置Ｔ１まで搬送されると、一次転写装置１５が、その各色のトナー像を中間転写装置２０の矢印Ｂで示す方向に回転する中間転写ベルト２１に対して順番に重ね合わせるような状態で一次転写させる。
【００４４】
また、一次転写が終了した各作像装置１０では、ドラム清掃装置１６が感光体ドラム１１の表面に残留するトナー等の付着物を掻き取るように除去して感光体ドラム１１の表面を清掃する。これにより、各作像装置１０は次の作像動作が可能な状態にされる。
【００４５】
続いて、中間転写装置２０では、中間転写ベルト２１の回転により一次転写されたトナー像を保持して二次転写位置Ｔ２まで搬送する。一方、給紙装置４０では、作像動作に合わせて所要の記録用紙７を給紙搬送路４５に送り出す。給紙搬送路４５では、レジストロールとしての用紙搬送ロール対４４が記録用紙７を転写時期に合わせて二次転写位置Ｔ２に送り出して供給する。
【００４６】
二次転写位置Ｔ２においては、二次転写ロール２６が、中間転写ベルト２１上のトナー像を記録用紙７に一括して二次転写させる。また、二次転写が終了した中間転写装置２０では、ベルト清掃装置２７が、二次転写後の中間転写ベルト２１の表面に残留したトナー等の付着物を取り除いて清掃する。
【００４７】
続いて、トナー像が二次転写された記録用紙７は、中間転写ベルト２１と二次転写ロール２６から剥離された後に定着装置３０まで搬送される。定着装置３０では、必要な定着処理（加熱及び加圧）をして未定着のトナー像を用紙７に定着させる。最後に、定着が終了した後の記録用紙７は、排出ロール対４７により筐体１ａの上部に設けられた排出収容部４６に排出される。
【００４８】
以上の動作により、４色のトナー像を組み合わせて構成されるフルカラー画像が形成された記録用紙７が出力される。
【００４９】
＜画像形成装置の特徴部分の構成＞
図３はこの実施の形態に係る速度切替装置を適用した定着装置の駆動装置を示す構成図である。
【００５０】
駆動装置５０は、図３に示されるように、定着装置３０を駆動するための駆動源としての駆動モータ５１を備えている。この駆動モータ５１は、定速で回転駆動されるものが使用される。駆動モータ５１の出力軸に設けられた出力歯車５２には、大径部５３ａと小径部５３ｂを有する減速歯車５３が噛み合わされている。減速歯車５３の小径部５３ｂは、例えば、その回転数がＱ、歯数がｚにそれぞれ設定されている。
【００５１】
また、駆動装置５０は、減速用歯車５３の小径部５３ｂと噛み合わされる共通歯車５４を備えている。共通歯車５４は、回転軸５５に回転自在かつ軸方向に沿って移動自在に装着されている。また、共通歯車５４は、回転軸５５に装着された第１の圧縮バネ（弾性部材）５６により軸方向に沿った一端部（図示例では、下端部）側に押圧されている。回転軸５５に固定した状態で設けられた一方の支持部材５７は、第１の圧縮バネ５６の上端部を支持している。また、第１の圧縮バネ５６の下端部は、共通歯車５４の他端部に接触した状態で配置された他方の支持部材５８に接触している。共通歯車５４の円筒部５４ａの先端には、切替手段を構成するリンクバー５９と接触する円盤状の接触部材６０が固定した状態で配置されている。なお、回転軸として記載した回転軸５５は、必ずしも回転する軸である必要はない。
【００５２】
また、駆動装置５０は、共通歯車５４の回転軸５５と並列的に配置された駆動力伝達軸６１を備えている。駆動力伝達軸６１には、歯数が異なる複数の変速用歯車として第１の変速用歯車６２と第２の変速用歯車６３とが間隔設定部材６４を介して所要の間隔を隔てて回り止め状態で同軸状かつ軸方向に沿って移動自在に装着されている。第１の変速用歯車６２と第２の変速用歯車６３は、等しい外径を有しているとともに、歯数が互いに異なるように構成されている。第１の変速用歯車６２と第２の変速用歯車６３は、インボリュート波形からの転移状態を示すパラメータである転位係数を異ならせることで歯数が異なっている。第１の変速用歯車６２の歯数はたとえばＹに、第２の変速用歯車６２の歯数はたとえばＹ＋１に設定されている。
【００５３】
また、第１及び第２の変速用歯車６２，６３は、駆動力伝達軸６１に装着された第２の圧縮バネ（弾性部材）６５により軸方向に沿った一端部（図示例では、下端部）側に押圧されている。駆動力伝達軸６１に固定した状態で設けられた一方の支持部材６６は、第２の圧縮バネ６５の上端部を支持している。また、第２の圧縮バネ６５の他方の端部は、第１の変速用歯車６２の端部に接触した状態で配置された他方の支持部材６７に支持されている。また、第２の変速用歯車６３の他端部は、駆動力伝達軸５１に固定した状態で設けられた規制部材６８によって位置が規制されている。その結果、第１及び第２の変速用歯車６２，６３は、第２の圧縮バネ６５の弾性力に抗して駆動力伝達軸６１の軸方向に沿った一端部（図示例では、上端部）側に移動可能となっている。
【００５４】
駆動力伝達軸６１の先端部には、駆動力伝達歯車６９が固定した状態で取り付けられている。定着装置３０の加熱用回転体３１は、駆動力伝達歯車６９から回転駆動力が伝達されて回転駆動される。
【００５５】
また、駆動装置５０は、上述したように、共通歯車５４の端部が接触する切替手段としてのリンクバー５９を備えている。リンクバー５９は、第１の平面部７１と、第１の平面部７１の一端部に傾斜した状態で設けられた傾斜面７２と、傾斜面７２の一端部に平面状に設けられた第２の平面部７３とを有している。リンクバー５９は、その一端部側に配置された駆動歯車７４に設けられたピニオン歯車７５とクラッチ７６を介して噛み合うラック歯車７７を備えている。また、リンクバー５９の長手方向に沿った両端部には、当該リンクバー５９の位置を制御するためのセンサ７８，７９が設けられている。駆動歯車７４には、減速用歯車５３から駆動力が伝達される。これらのリンクバー５９、駆動歯車７４、ピニオン歯車７５、クラッチ７６、ラック歯車７７及びセンサ７８，７９は、切替手段を構成している。
【００５６】
＜画像形成装置の特徴部分の動作＞
この実施の形態の画像形成装置１では、図１に示されるように、画像形成部６の動作が制御部５によって制御される。
【００５７】
制御部５は、例えば、パーソナルコンピュータ２から入力されるプリント信号に基づいて、記録媒体７の種類が普通紙であると判定すると、定着装置３０の駆動速度を通常の速度に切り替えるよう制御する。すなわち、制御部５は、図３に示されるように、クラッチ７６をＯＮ状態とすることでリンクバー５９を所要の距離だけ図中左方向に移動させる。
【００５８】
すると、共通歯車５４は、リンクバー５９の第２の平面部７１に接触した状態となる。これに伴って、第１の変速用歯車６２と噛み合う。第１の変速用歯車６２は、第２の変速用歯車６２と比較して歯数（Ｙ）が１つ少なく設定されている。そのため、第１の変速用歯車６２の回転数は、次式に基づいて求められるように、例えば、５５．５ｒｐｍとなる。
【００５９】
第１の変速用歯車の回転数
＝２２２ｒｐｍ×２０Ｔ÷８０Ｔ
＝５５．５ｒｐｍ
【００６０】
ここで、減速用歯車５３の小径部５３ｂの回転数Ｑを１４８ｒｐｍ、歯数を３０Ｔに設定した。また、共通歯車５４の回転数を２２２ｒｐｍ、歯数を２０Ｔに設定した。共通歯車５４の回転数は、１４８ｒｐｍ×３０Ｔ÷２０Ｔ＝２２２ｒｐｍにより求めた。
【００６１】
このように、記録媒体７が普通紙である場合には、駆動装置５０の出力である単位時間当たりの回転数が５５．５ｒｐｍとなり、普通紙に対して紙しわ等が生じることなく、定着装置３０によって定着される。
【００６２】
一方、制御部５は、例えば、パーソナルコンピュータ２から入力されるプリント信号に基づいて、記録媒体７の種類が厚紙であると判定すると、定着装置３０の駆動速度を低速側に切り替えるよう制御する。すなわち、制御部５は、図３に示されるように、クラッチ７６をＯＮ状態とすることでリンクバー５９を所要の距離だけ図中右方向に移動させる。なお、リンクバー５９を図中左方向に移動させる際は、駆動モータ５１を時計回り方向に回転させ、リンクバー５９を図右方向に移動させる際は、駆動モータ５１を反時計回り方向に回転させる。また、クラッチ７６をＯＮ／ＯＦＦするタイミングによりリンクバー５９の位置を制御する。
【００６３】
すると、リンクバー５９の第２の平面部７１に接触していた共通歯車５４は、図４に示されるように、リンクバー５９の斜面部７２を介して第１の平面部７３へと移動する。これに伴って、共通歯車５４は、第１の圧縮バネ５６の弾性力により押圧されて図中下方に移動し、第２の変速用歯車６３と噛み合う。第２の変速用歯車６３は、第１の変速用歯車６２と比較して歯数（Ｙ＋１）が１つ多く設定されている。そのため、第２の変速用歯車の回転数は、次式に基づいて求められるように、５４．８ｒｐｍとなり、第１の変速用歯車６２と比較して減速される。
【００６４】
第２の変速用歯車の回転数
＝２２２ｒｐｍ×２０Ｔ÷８１Ｔ
＝５４．８ｒｐｍ
【００６５】
そのため、記録媒体７が厚紙である場合には、駆動装置５０の出力である単位時間当たりの回転数が通常よりも低速である５４．８ｒｐｍとなり、定着装置３０の用紙搬送速度が厚紙である分だけ速くなり、二次転写部Ｔ２において二次転写中の画像などにカラーレジずれ等が発生するのを抑制することができる。
【００６６】
このように、上記実施の形態では、駆動モータとして定速駆動のモータを使用することができ、又、クラッチを用いた駆動系を分岐する必要がなく、コストの増加を抑制しつつ、定着装置３０を複数の駆動速度に切り替えることが可能となる。
【００６７】
また、上記実施の形態では、図５に示されるように、リンクバー５９を図中左方向に移動させる際に、共通歯車５４が第１の変速用歯車６２の端部と干渉した場合であっても、第１の変速用歯車６２は、第２の圧縮バネ６５の弾性力に抗して図中上方に移動して退避し、共通歯車５４が回転駆動されることに伴って第１の変速用歯車６２と噛み合い、第２の圧縮バネ６５の弾性力により図５（ｂ）に示されるように正規の位置に戻るため、支障が生じることがない。
【００６８】
なお、上記実施の形態では、定着装置の駆動速度の切替に適用した場合について説明したが、これに限定されるものではなく、他の装置にも適用可能な事は勿論である。
【００６９】
また、上記実施の形態では、変速用の歯車として第１及び第２の２つの変速用歯車を用いた場合について説明したが、変速用歯車を３つ以上設けてこれらを切り替えるように構成しても良い。
【符号の説明】
【００７０】
１…画像形成装置
１１…感光体ドラム
３０…定着装置
３１…加熱用回転体
３２…加圧用回転体
５０…駆動装置
５１…駆動モータ
５４…共通歯車
５９…リンクバー
６２…第１の変速用歯車
６３…第２の変速用歯車
【図１】
2015069061.tif 000003
【図２】
2015069061.tif 000004
【図３】
2015069061.tif 000005
【図４】
2015069061.tif 000006
【図５】
2015069061.tif 000007